(57)【要約】      （修正有）【課題】異常事態を瞬時に確認・解消して、速やかに乳幼児等の安全を確保、予防することができる乳幼児等の見守り対象者に対する予防安全システムを提供する。【解決手段】乳幼児等の見守り対象者Ｍ１の身体の状態を非接触で検出し、検出信号が異常事態に至ったときに警報を発する乳幼児等の見守り対象者に対する予防安全システム１であって、見守り対象者に対して非接触配置に設置されるとともに、見守り対象者の身体内外の動きを示す検出信号をマイクロ波を利用して非接触で検出し、検出信号に基づく見守り対象者の呼吸数又は／及び脈拍数等の生体情報を生成し、検出信号が異常レベルに至った場合に警報情報を生成して、見守り対象者から離れた場所にいる見守り者Ｍ２のスマートフォン等の情報通信端末３１に対して生体情報、警報情報を伝送する非接触バイタルセンサ１１と、情報通信端末に備えた生体情報を可視的に表示し、警報情報に基づくブザー音等を発する生体情報通報処理手段とを有する。【選択図】図１
0003221296.tif 000002
【実用新案登録請求の範囲】
【請求項１】
就寝又は横臥する乳幼児等の見守り対象者の身体の状態を非接触で検出し、検出信号が異常事態に至ったときに警報を発する乳幼児等の見守り対象者に対する予防安全システムであって、
前記見守り対象者に対して非接触配置に設置されるとともに、前記見守り対象者の身体内外の動きを示す検出信号をマイクロ波を利用して非接触で検出し、前記検出信号に基づく見守り対象者の生体情報を生成し、前記検出信号が異常レベルに至った場合に警報情報を生成して、前記見守り対象者の就寝又は横臥場所から離れた場所にいる見守り者の情報通信端末に対して前記生体情報、前記警報情報を伝送する非接触バイタルセンサと、
前記情報通信端末に備えた前記生体情報を可視的に表示し、前記警報情報に基づく警報音情報を発する生体情報通報処理手段と、
を有することを特徴とし、
乳幼児等の見守り対象者に関する生体情報を的確に管理し、見守り対象者の身体に異常な事態、例えば乳幼児等の就寝中に顔にタオルが掛かってしまったような場合、乳幼児等がうつ伏せ状態で布団に顔が埋もれてしまった場合等々が惹起した場合、当該異常事態を瞬時に確認・解消して、速やかに乳幼児等の安全を確保、予防することができるようにした乳幼児等の見守り対象者に対する予防安全システム。
【請求項２】
就寝又は横臥する乳幼児等の見守り対象者の身体の状態を非接触で検出し、検出信号が異常事態に至ったときに警報を発する乳幼児等の見守り対象者に対する予防安全システムであって、
前記見守り対象者に対して非接触配置に設置されるとともに、前記見守り対象者の身体内外の動きを示す検出信号をマイクロ波を利用して非接触で検出し、検出信号からの呼吸数又は／及び脈拍数からなる見守り対象者の生体情報を生成し、前記検出信号からの呼吸数又は／及び脈拍数の数値が異常レベルに至った場合に呼吸数又は脈拍数に関する警報情報を生成して、前記見守り対象者の就寝又は横臥場所から離れた場所にいる見守り者の情報通信端末に対して前記呼吸数又は／及び脈拍数からなる生体情報、及び前記呼吸数又は／及び脈拍数に関する警報情報を伝送する非接触バイタルセンサと、
前記情報通信端末に備えた前記呼吸数又は／及び脈拍数に関する生体情報を可視的に表示し、前記呼吸数又は／及び脈拍数に関する警報情報に基づくブザー音等の警報音情報を発する生体情報通報処理手段と、
を有することを特徴とし、
乳幼児等の見守り対象者に関する生体情報を的確に管理し、見守り対象者の身体に異常な事態、例えば乳幼児等の就寝中に顔にタオルが掛かってしまったような場合、乳幼児等がうつ伏せ状態で布団に顔が埋もれてしまった場合等々が惹起した場合、当該異常事態を瞬時に確認・解消して、速やかに乳幼児等の安全を確保、予防することができるようにした乳幼児等の見守り対象者に対する予防安全システム。
【請求項３】
前記検出信号に基づく呼吸数又は／及び脈拍数に関する警報情報の生成は、標準となる呼吸数又は／及び脈拍数の数値に対する一定の異常レベルを定めた閾値処理により行うことを特徴とする請求項２記載の乳幼児等の見守り対象者に対する予防安全システム。
【請求項４】
前記非接触バイタルセンサは、見守り対象者の就寝又は横臥場所の床面、壁面、又は天井面に配置され、非接触で複数人の見守り対象者の生体情報の見守りを可能としたことを特徴とする請求項１乃至３のいずれか１項に記載の乳幼児等の見守り対象者に対する予防安全システム。
【請求項５】
前記非接触バイタルセンサは、見守り対象者の就寝又は横臥場所の床面、壁面、又は天井面に配置され、非接触で複数人の見守り対象者の生体情報の見守りを可能とするとともに、サーモセンサを組み合わせて非接触で複数人の見守り対象者の体温検出をも可能としたことを特徴とする請求項１乃至３のいずれか１項に記載の乳幼児等の見守り対象者に対する予防安全システム。
【請求項６】
前記非接触バイタルセンサは、見守り対象者の就寝又は横臥場所の床面上、壁面、又は天井面に配置され、非接触で複数人の見守り対象者の生体情報の見守りを可能とするとともに、サーモセンサ、撮像カメラを組み合わせて非接触で複数人の見守り対象者の体温検出及び見守り対象者の就寝又は横臥状態の画像での見守りをも可能としたことを特徴とする請求項１乃至３のいずれか１項に記載の乳幼児等の見守り対象者に対する予防安全システム。
【考案の詳細な説明】
【技術分野】
【０００１】
本考案は、乳幼児等の見守り対象者に対する予防安全システムに関し、詳しくは、乳幼児等の見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムに関するものである。
なお、本考案における見守り対象者は、就寝時の乳幼児だけに限定されるものではなく、就寝時以外の乳幼児は勿論、高齢者や身体に障害のある対象者等を含むものである。
【背景技術】
【０００２】
従来、保育園、家庭内等においては就寝中の乳幼児等（この他高齢者・老人施設における要介護老人等）のうつ伏せ寝状態等々における窒息死を事前に予防することが強く要請されるところである。
【０００３】
特許文献１には、本考案に関連する技術として、乳幼児の着衣表面又は身体表面に設けられる検知部と、この検知部と電気的に接続された本体部から構成される乳幼児うつ伏せ寝検出装置であって、前記検知部は前記乳幼児の腹部又は胸部或いは首部又は肩部のいずれか１つ若しくは複数箇所に設置されて乳幼児のうつ伏せ寝を検知するセンサ部と、このセンサ部が前記うつ伏せ寝を検知した場合にうつ伏せ寝を示すＯＮ信号を発信する第１制御部とを備え、前記本体部は前記乳幼児の着衣表面又は身体表面に装着或いは前記乳幼児から離して設置され、前記第１制御部から前記乳幼児のうつ伏せ寝に関するＯＮ、ＯＦＦ信号を電気的な接続を通じて受信する第２制御部と、前記ＯＮ信号を受信した場合に第２制御部から出される指令を受けて光、音声、振動又はその組合せたものを発生し、或いは文字を使ったものを表示して報知するアラーム部とを備える乳幼児うつ伏せ寝検出装置が開示されている。
【０００４】
しかし、特許文献１の乳幼児うつ伏せ寝検出装置の場合、圧力センサからなる検知部を乳幼児の着衣表面又は身体表面に設け、当該乳幼児のうつ伏せ寝の状態を検知部により検知し、前記乳幼児の着衣表面又は身体表面から或いは前記乳幼児から離れた場所において、光や音声、振動又はその組合せたものを発生し、或いは文字を使ったもの表示する構成としたものであり、前記乳幼児の各種の生体情報（呼吸数又は／及び脈拍数等）に関する詳細な見守りを行うことまでは配慮されていない。
【先行技術文献】
【特許文献】
【０００５】
【特許文献１】特開２００５−３１２９０１号公報
【考案の概要】
【考案が解決しようとする課題】
【０００６】
本考案は、上記従来の実情に鑑み開発されたものであり、乳幼児等の見守り対象者に関する各種の生体情報（呼吸数又は／及び脈拍数等）を的確に管理し、乳幼児等の見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムを提供するものである。
前記したように、本考案における見守り対象者は、就寝時の乳幼児だけに限定されるものではなく、就寝時以外の乳幼児は勿論、高齢者や身体に障害のある対象者等を含むものである。
【課題を解決するための手段】
【０００７】
本考案に係る乳幼児等の見守り対象者に対する予防安全システムは、例えば就寝又は横臥する乳幼児等の見守り対象者の身体の状態を非接触で検出し、検出信号が異常事態（呼吸数や脈拍数に異常な数値が惹起したような事態）に至ったときにこれを検知し警報を発する乳幼児等の見守り対象者に対する予防安全システムであって、前記見守り対象者に対して非接触配置に設置されるとともに、前記見守り対象者の身体内外の動きを示す検出信号をマイクロ波を利用して非接触で検出し、前記検出信号に基づく見守り対象者の生体情報を生成し、前記検出信号が異常レベルに至った場合に警報情報を生成して、前記見守り対象者の就寝又は横臥場所から離れた場所にいる見守り者の情報通信端末に対して前記生体情報、前記警報情報を伝送する非接触バイタルセンサと、前記情報通信端末に備えた前記生体情報を可視的に表示し、前記警報情報に基づく警報音情報を発する生体情報通報処理手段と、を有することを最も主要な特徴とする。
【考案の効果】
【０００８】
請求項１記載の考案によれば、乳幼児等の見守り対象者に関する各種の生体情報（呼吸数又は／及び脈拍数等）を的確に管理し、見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムを実現し提供することができる。
【０００９】
請求項２記載の考案によれば、非接触バイタルセンサを利用して乳幼児等の見守り対象者に関する生体情報（呼吸数又は／及び脈拍数等）を的確に管理し、前記したと同様に、見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムを実現し提供することができる。
【００１０】
請求項３記載の考案によれば、請求項２記載の考案において、非接触バイタルセンサの検出信号に基づく呼吸数又は／及び脈拍数に関する警報情報の生成は、標準となる呼吸数又は／及び脈拍数の数値に対する一定の異常レベルを定めた閾値処理により行うようにしているので、標準値に基づいた乳幼児等の見守り対象者に関する生体情報（呼吸数又は／及び脈拍数等）を的確、かつ、正確に管理し、前記したと同様に、見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムを実現し提供することができる。
【００１１】
請求項４記載の考案によれば、請求項１乃至３のいずれか１項に記載の考案において、非接触バイタルセンサは、見守り対象者の就寝又は横臥場所の床面、壁面、又は、天井面に配置されて、非接触で複数人の見守り対象者の生体情報の見守りを可能としているので、一台の非接触バイタルセンサを使用した構成で、複数人の見守り対象者に関する各種の生体情報（呼吸数又は／及び脈拍数等）を的確に管理し、前記したと同様に、各見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムを実現し提供することができる。
【００１２】
請求項５記載の考案によれば、一台の非接触バイタルセンサにサーモセンサを組み合わせた構成の基に、複数人の見守り対象者に関する各種の生体情報（呼吸数又は／及び脈拍数等）を的確に管理し、前記したと同様に、各見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる乳幼児等の見守り対象者に対する予防安全システムを実現し提供することができる。
【００１３】
請求項６記載の考案によれば、一台の非接触バイタルセンサにサーモセンサ、撮像カメラを組み合わせた構成の基に、複数人の見守り対象者に関する各種の生体情報（呼吸数又は／及び脈拍数等）を的確に管理し、前記したと同様に、各見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができ、更には、複数人の見守り対象者の体温検出、画像による身体状態の把握も可能な乳幼児等の見守り対象者に対する予防安全システムを実現し提供することができる。
【図面の簡単な説明】
【００１４】
【図１】図１は本考案の実施例１に係る乳幼児等の見守り対象者に対する予防安全システムの基本的構成を示す概略図である。
【図２】図２は本実施例１に係る乳幼児等の見守り対象者に対する予防安全システムにおける非接触バイタルセンサの外観を示す概略斜視図である。
【図３】図３は本実施例１に係る乳幼児等の見守り対象者に対する予防安全システムにおける非接触バイタルセンサとバッテリーとを組み合わせた非接触バイタルセンサユニットの概略平面図である。
【図４】図４は本実施例１に係る乳幼児等の見守り対象者に対する予防安全システムの全体構成を示す概略ブロック図である。
【図５】図５は本実施例１における乳幼児等の呼吸数、脈拍数の数値の一例を示す表である。
【図６】図６は本実施例１に係る乳幼児等の見守り対象者に対する予防安全システムにおける見守り者の情報通信端末の画面における生体情報の表示例を示す概略図である。
【図７】図７は本考案の実施例２に係る乳幼児等の見守り対象者に対する予防安全システムにおける非接触バイタルセンサとバッテリーと追加モジュールとを組み合わせた非接触バイタルセンサユニットの概略平面図である。
【図８】図８は図７に示す非接触バイタルセンサユニットの構成を示す概略ブロック図である。
【図９】図９は本実施例１に係る乳幼児等の見守り対象者に対する予防安全システムにおいて天井に非接触バイタルセンサを配置し多数の見守り対象者の見守りを行う具体的使用例を示す概略構成図である。
【図１０】図１０は本実施例１に係る乳幼児等の見守り対象者に対する予防安全システムにおいて天井に非接触バイタルセンサを配置し、サーモセンサと組み合わせて多数の見守り対象者の生体情報、体温の見守りを行う具体的使用例を示す概略構成図である。
【図１１】図１１は本実施例１に係る乳幼児等の見守り対象者に対する予防安全システムにおいて天井に非接触バイタルセンサを配置し、サーモセンサ、撮像カメラと組み合わせて多数の見守り対象者の生体情報、体温、就寝又は横臥状態の見守りを行う具体的使用例を示す概略構成図である。
【図１２】図１２は、乳幼児等の標準となる呼吸数、脈拍数、血圧、体温に関する一般的な正常値、基準値、及び脈拍数、呼吸数の実測値の一例を示す表である。
【考案を実施するための形態】
【００１５】
本考案は、乳幼児等の見守り対象者に関する各種の生体情報（呼吸数又は／及び脈拍数等）を的確に管理し、見守り対象者の身体に生じることがある異常な事態発生を予防することができる乳幼児等の見守り対象者に対する予防安全システムを実現し提供するという目的を、就寝又は横臥する乳幼児等の見守り対象者の身体の状態を非接触で検出し、検出信号が異常事態（呼吸数や脈拍数に異常な数値が惹起したような事態）に至ったときにこれを検知し警報を発する乳幼児等の見守り対象者に対する予防安全システムであって、前記見守り対象者に対して非接触配置に設置されるとともに、前記見守り対象者の身体内外の動きを示す検出信号をマイクロ波を利用して非接触で検出し、検出信号からの呼吸数又は／及び脈拍数からなる見守り対象者の生体情報を生成し、前記検出信号からの呼吸数又は／及び脈拍数が異常レベルに至った場合に呼吸数又は／及び脈拍数に関する警報情報を生成して、前記見守り対象者の就寝又は横臥場所から離れた場所にいる見守り者の情報通信端末に対して前記呼吸数又は／及び脈拍数からなる生体情報、前記呼吸数又は／及び脈拍数に関する警報情報を伝送する非接触バイタルセンサと、前記情報通信端末に備えた前記呼吸数又は／及び脈拍数に関する生体情報を可視的に表示し、前記呼吸数又は／及び脈拍数に関する警報情報に基づくブザー音等の警報音情報を発する生体情報通報処理手段と、を有する構成により実現した。
【実施例】
【００１６】
以下、図面を参照して、本考案の実施例に係る乳幼児等の見守り対象者に対する予防安全システムについて詳細に説明する。なお、前記したように、本考案における見守り対象者は、就寝時の乳幼児だけに限定されるものではなく、就寝時以外の乳幼児は勿論、高齢者や身体に障害のある対象者等を含むものである。
【００１７】
（実施例１）
本考案の実施例１に係る乳幼児等の見守り対象者に対する予防安全システム１について、図１乃至図６を参照して説明する。
【００１８】
本実施例１に係る乳幼児等の見守り対象者Ｍ１に対する予防安全システム１は、図１に示すように、例えばベッド２上に就寝又は横臥する乳幼児等の見守り対象者Ｍ１の身体の状態を当該ベッド２に下部の床面３に前記見守り対象者Ｍ１とは非接触状態で配置したマイクロ波を利用した非接触バイタルセンサ１１により検出し、かつ、前記検出情報を基に見守り対象者Ｍ１の生体情報、及びこの生体情報に基づく警報情報を生成して、前記生体情報、及び警報情報を無線通信により前記ベッド２の設置場所から離れた場所にいる見守り者Ｍ２側の情報通信端末３１に送信し、前記情報通信端末３１側で前記生体情報を可視的に表示し、前記警報情報に基づくブザー音等の警報音情報を発するように構成したものである。
【００１９】
前記見守り対象者Ｍ１に対する予防安全システム１について更に詳述する。
【００２０】
前記非接触バイタルセンサ１１に対しては、この近傍に配置した電源スイッチ２８付きの蓄電池１２により非接触バイタルセンサユニットを構成し、蓄電池１２により所要の電力を供給するように構成している。
【００２１】
前記蓄電池１２に替えて、図２に示すように、ＡＣ１００Ｖ供給の商用電源から非接触バイタルセンサ１１に対して所要の電力を供給するように構成することももちろん可能である。
【００２２】
図３は、前記非接触バイタルセンサ１１と前記蓄電池１２とを組み合わせた非接触バイタルセンサユニット１３（無線通信型）の概略構成を示すものである。
【００２３】
次に、図４、図５、図１２を参照して、本実施例１に係る乳幼児等の見守り対象者Ｍ１に対する予防安全システム１の全体構成について詳述する。
【００２４】
本実施例１に係る乳幼児等の見守り対象者Ｍ１に対する予防安全システム１の前記非接触バイタルセンサユニット１３は、図４に示すように、動作プログラムを格納したプログラムメモリ１４と、動作プログラムに基づき非接触バイタルセンサ１１の動作制御を行う制御部１５と、この非接触バイタルセンサ１１の動作に必要な各種情報を記憶する作業用メモリ１６と、前記見守り対象者Ｍ１に対してマイクロ波を送信し、見守り対象者Ｍ１の身体からの反射波を受信する送受信アンテナ１７と、送受信アンテナ１７による受信信号をデジタル信号に変換し検出信号として送出するＡ／Ｄ変換部１８と、前記検出信号を基に見守り対象者Ｍ１の呼吸数からなる生体情報を生成する呼吸数情報生成部１９と、前記検出信号を基に見守り対象者Ｍ１の脈拍数からなる生体情報を生成する脈拍数情報生成部２０と、前記検出信号を基に見守り対象者Ｍ１の体動情報（例えば着床、離床等）を生成する体動情報生成部２１と、前記各生体情報を記憶する生体情報を記憶部２２と、前記検出信号に基づく呼吸数又は／及び脈拍数に関する警報情報を生成するための閾値を変更設定可能に記憶する閾値設定記憶部２３と、前記検出信号に基づく呼吸数又は／及び脈拍数に関する警報情報の生成のために図１２に示すような標準となる呼吸数、脈拍数の数値情報を記憶する標準数値情報記憶部２４と、前記標準となる呼吸数、脈拍数の数値情報と、前記閾値とを基に、前記検出信号に基づく呼吸数又は／及び脈拍数が異常レベルに至った場合に呼吸数又は／及び脈拍数に関する警報情報を生成する警報情報生成部２５と、前記呼吸数又は／及び脈拍数に関する警報情報を記憶する警報情報記憶部２６と、前記各生体情報、前記呼吸数又は／及び脈拍数に関する警報情報を収集し、離れた場所にいる見守り者Ｍ２の情報通信端末３１に対して無線通信（例えばＷｉＦｉ通信）によって前記各生体情報、警報情報を送信する無線通信処理部２７と、電源スイッチ２８付きの蓄電池１２と、を有している。
なお、前記非接触バイタルセンサ１１により収集した呼吸数、脈拍数は、ＳＤメモリカード、ＭｉｃｒｏＳＤ（登録商標）メモリカード、ＳＳＤ（ソリッドステートドライブ）、ＵＳＢメモリ等のフラッシュメモリ、ＨＤＤ（ハードディスクドライブ）等に保存して情報を迅速、正確に保存できることは勿論である。
【００２５】
前記見守り者Ｍ２側の情報通信端末３１は、この予防安全システム１の管理者兼見守り者Ｍ２が使用する管理コンピュータ３２、見守り者Ｍ２側のノート型コンピュータ３３、見守り者Ｍ２側のスマートフォン３４等により構成される。
【００２６】
そして、前記情報通信端末３１である管理コンピュータ３２、ノート型コンピュータ３３、スマートフォン３４等のいずれか一つ又は全てにより、前記非接触バイタルセンサユニット１３を構成する非接触バイタルセンサ１１から前記各生体情報、警報情報を無線にて受信し、これら各機器に備えた生体情報通報処理手段である前記各機器の画面により見守り対象者Ｍ１の前記呼吸数又は／及び脈拍数、体動に関する生体情報を可視的に表示し、また、前記各情報通信端末３１に備えた生体情報通報処理手段であるブザー又はスピーカ等により前記警報情報に基づくブザー音等の警報音情報を発するように構成している。
【００２７】
なお、前記情報通信端末３１としては、図示しないが、タブレット型コンピュータ、携帯電話等を採用することももちろん可能である。
【００２８】
図５は、本実施例１における見守り対象者Ｍ１の呼吸数、脈拍数の数値の一例を示す表である。
【００２９】
前記生体情報を記憶部２２への各生体情報の記憶処理の時間間隔としては、例えば５分間隔で行うことが好ましい。
【００３０】
図６は、前記情報通信端末３１の一種であるスマートフォン３４の画面に生体情報である身体の状態「着床」、脈拍数、呼吸数を文字又は数字で表示した例を示すものである。
【００３１】
また。前記警報情報生成部２５によって、前記検出信号に基づく呼吸数、脈拍数が異常レベル（図１２に示すような標準となる呼吸数、脈拍数の数値から外れている）で、呼吸数、脈拍数に関する警報情報が生成されて、この警報情報が前記情報通信端末３１の一種であるスマートフォン３４に送信された場合には、このスマートフォン３４に備えたブザー又はスピーカから警報音であるブザー音が発せられる。
なお、乳幼児等の前記生体情報に関しては、呼吸数、脈拍数をその対象とする他、例えば血圧や体温を対象とすることも可能である。
【００３２】
本実施例１に係る乳幼児等の見守り対象者Ｍ１に対する予防安全システム１によれば、見守り者Ｍ２は、乳幼児等の見守り対象者Ｍ１に関する各種の生体情報（呼吸数又は／及び脈拍数等）を的確に管理でき、また、見守り対象者Ｍ１の身体に異常な事態（当該乳幼児の呼吸数や脈拍数に異常な数値が惹起したような事態）が生じたような場合には警報音を認知して速やかに当該見守り対象者Ｍ１のもとに駆け付け対応措置を講じる等、乳幼児等の就寝中に顔にタオルが掛かってしまっていたことや布団に顔が埋もれていたことによる窒息死等という異常な事態発生を的確に予防することが可能となる。
換言すれば、本実施例１に係る乳幼児等の見守り対象者Ｍ１に対する予防安全システム１によれば、非接触バイタルセンサを利用して乳幼児等の見守り対象者に関する生体情報（呼吸数又は／及び脈拍数等）を的確に管理し、見守り対象者の身体に異常な事態、例えば乳幼児の就寝中に顔にタオルが掛かってしまったような場合、また乳幼児がうつ伏せ状態で布団に顔が埋もれてしまったような場合等々の結果、当該乳幼児の呼吸数や脈拍数に異常な数値が惹起したような事態が発生した場合、当該異常事態を瞬時に検知・確認・解消して、速やかに乳幼児等の安全を確保、予防することができる。
【００３３】
（実施例２）
次に、図７、図８を参照して、本考案の実施例２に係る乳幼児等の見守り対象者Ｍ１に対する予防安全システム１Ａについて説明する。
【００３４】
実施例２に係る乳幼児等の見守り対象者Ｍ１に対する予防安全システム１Ａにおいて、既述した実施例１の場合と同一の要素には同一の符号を付し、その詳細説明は省略する。
【００３５】
実施例２に係る乳幼児等の見守り対象者Ｍ１に対する予防安全システム１Ａは、基本的構成は実施例１の場合と略同様であるが、前記非接触バイタルセンサユニット１３に替えて、有線接続型の非接触バイタルセンサユニット１３Ａを備えることが特徴である。
【００３６】
すなわち、図７に示す非接触バイタルセンサユニット１３Ａは、送信ケーブル４２を備えるとともに無線機能無しの非接触バイタルセンサ１１Ａを備えているとともに、この非接触バイタルセンサ１１Ａに追加モジュール４１を付加し、非接触バイタルセンサ１１Ａからの前記各生体情報、警報情報を送信ケーブル４２を介して、前記見守り者Ｍ２側の情報通信端末３１の一つである管理コンピュータ３２に伝送するように構成している。
【００３７】
前記追加モジュール４１は、詳細説明は省略するが、警報入切スイッチ４３、記憶媒体であるＳＤメモリカード４４、環境学習ボタン４５、解除・一時停止ボタン４６等を備えている。
【００３８】
また、実施例２に係る乳幼児等の見守り対象者Ｍ１に対する予防安全システム１Ａは、図８に示すように、前記無線通信処理部２７に替えて通信処理部４７を備えているとともに、この通信処理部４７から送信ケーブル４２を介して、前記管理コンピュータ３２に前記各生体情報、警報情報を伝送し、管理コンピュータ３２から見守り者Ｍ２側のノート型コンピュータ３３、スマートフォン３４等に対して、無線通信にて前記各生体情報、警報情報を送信するように構成している。
【００３９】
本実施例２に係る乳幼児等の見守り対象者Ｍ１に対する予防安全システム１Ａによれば、前記したと同様に、見守り者Ｍ２は、前記管理コンピュータ３２による管理の基に、乳幼児等の見守り対象者Ｍ１に関する各種の生体情報（呼吸数又は／及び脈拍数等）を的確に受信でき、また、見守り対象者Ｍ１の身体に異常な事態（当該乳幼児の呼吸数や脈拍数に異常な数値が惹起したような事態）が生じたような場合には警報音を認知して速やかに当該見守り対象者Ｍ１のもとに駆け付け対応措置を講じる等、乳幼児等の就寝中に顔にタオルが掛かってしまっていたことや布団に顔が埋もれていたことによる窒息死等という異常な事態発生を的確に予防することが可能となる。
【００４０】
次に、図９乃至図１１を参照して、本実施例１に係る乳幼児等の見守り対象者Ｍ１に対する予防安全システム１の具体的適用例について説明する。
【００４１】
図９は、多数のベッド（例えば８台）２に就寝する多数人（８人）の見守り対象者Ｍ１（同図には図示せず）用に当該ベッド２が設置されている部屋の天井面に一台の非接触バイタルセンサ１１を設置した態様で前記８人の見守り対象者Ｍ１の就寝時等の見守りを行う適用例を示すものである。
【００４２】
この適用例によれば、部屋から離れた場所にいる見守り者Ｍ２は、例えば８人の乳幼児等の見守り対象者Ｍ１に関する各種の生体情報（呼吸数又は／及び脈拍数等）を的確に管理でき、また、８人の見守り対象者Ｍ１のうちの一人又は複数人の見守り対象者Ｍ１の身体に異常な事態（当該乳幼児の呼吸数や脈拍数に異常な数値が惹起したような事態）が生じたような場合には警報音を認知して速やかに当該見守り対象者Ｍ１のもとに駆け付け対応措置を講じる等、乳幼児等の就寝中に顔にタオルが掛かってしまっていたことや布団に顔が埋もれていたことによる窒息死等という異常な事態発生を的確に予防することが可能となる。
【００４３】
図１０は、図９に示す場合と同様な適用例を示すものであるが、前記一台の非接触バイタルセンサ１１に更にサーモセンサ５１を付加し、前記各見守り対象者Ｍ１の体温をも測定可能にした場合を示すものである。
【００４４】
この場合、サーモセンサ５１の測温機能として摂氏３５度以上の体温がない場合には、測温を実施しない仕様とし、各見守り対象者Ｍ１に対する体温測定の効率向上を図るようにすることもできる。また、昼寝後の体温計測を省くことができる利点もある。
【００４５】
この適用例によれば、図９に示す場合と同様な効果を奏し、かつ、各見守り対象者Ｍ１の体温に関する見守り管理をも実現できる。
【００４６】
図１１は、図１０に示す場合と同様な適用例を示すものであるが、前記一台の非接触バイタルセンサ１１に更にサーモセンサ５１を付加するとともに、例えば天井面に撮像カメラ５２を取り付け、各見守り対象者Ｍ１の体動等を画像にて見守れるようにしたものである。
【００４７】
この適用例によれば、図９に示す場合と同様な効果を奏し、かつ、各見守り対象者Ｍ１の体温見守り管理や、体動等の画像による見守り管理をも実現でき、また、撮像カメラ５２の画像により、各見守り対象者Ｍ１の個人個人を特定し易くすることができる。
【００４８】
なお、図９乃至図１１に示す各適用例に関しては、既述した実施例２に係る乳幼児等の見守り対象者Ｍ１に対する予防安全システム１Ａについても同様に適用可能である。
【００４９】
図１２は、乳幼児等の呼吸数、脈拍数、血圧、体温に関する一般的な正常値、基準値、及び脈拍数、呼吸数の実測値の一例を示す表である。
【００５０】
図１２から明らかなように、乳幼児〜小学生の場合は成人よりも早い拍動を示す。
【００５１】
そして、基準値以上は頻脈、基準値以下は徐脈と称され、頻脈や徐脈が見られ、更に以下の症状があればすぐに医療機関で受診することが好ましい。
【００５２】
乳幼児    ；不機嫌、元気がない、顔色が悪い、食欲低下
幼児、小児；めまい、胸痛、息苦しい、嘔吐、失神
高熱・・・・摂氏３９．０度以上
中熱・・・・同  ３８．０度以上
微熱・・・・同  ３７．５度以上
呼吸数が多いとき；発熱・沫浴・食事・泣く・運勁・呼吸器疾患
【００５３】
次に、本実施例１に係る乳幼児等の見守り対象者Ｍ１に対する予防安全システム１に関する付帯事項について説明する。
【００５４】
前記予防安全システム１によれば、見守り対象者Ｍ１に関して摂氏３７．５度以上ある者のみを検知したり、図示しないが別途体動センサを使用し身体の向きを検知して記録するようにしたり、睡眠時、活動時の判別ができるようにシステムのオン、オフ動作を自動で切り替えるようにすることもできる。
【００５５】
前記非接触バイタルセンサ１１は、見守り対象者Ｍ１の身体の表面の動きから呼吸・脈拍を検知する、すなわち、マイクロ波を送信しマイクロ波ドップラー効果により取得した体表の動きに含まれるみぞおちの動きから呼吸を、体表近くを流れる静脈流の動きから脈拍を検知し、これらをセンサ内部で分別するものである。
【００５６】
本実施例１の前記非接触バイタルセンサ１１は、２４ＧＨｚ帯のマイクロ波を応用して、非接触で呼吸、脈の生体情報値をセンシングする機能を有するものである。
【００５７】
前記非接触バイタルセンサ１１の性能面に言及すると。２４ＧＨｚ帯のマイクロ波は。金属板、セメント、水以外は透過するものであり、見守り対象者Ｍ１から例えば１０ｍから約２．５ｍ以内であれば身体が静止していても呼吸や脈拍をセンシングでき、また、前記以上の距離の場合は動いていれば検知可能である。
【００５８】
更に、本実施例１においては２４ＧＨｚ帯のマイクロ波を利用しているが、１０ＧＨｚ以上の電波は体表で反射して身体内に侵入しないことが知られている。
【００５９】
また、本実施例１の非接触バイタルセンサ１は３ｍＷ以下の出力で、２０ｍＷ以下のマイクロ波は身体に無害であることが知られており、この結果、本実施例１の非接触バイタルセンサ１は身体に無害で安全性にも優れるものである。
【産業上の利用可能性】
【００６０】
以上説明した本考案に係る乳幼児等の見守り対象者に対する予防安全システムは、上述した場合の他、老人施設や個々の家庭等における高齢者、要介護者等に対する見守り管理用として好適に利用可能である。
【００６１】
また、ＳＩＤＳ（乳幼児突然死症候群：死につながるような病気や疾患がないにも関わらず乳幼児が睡眠中に突然死亡する病気）の予防対策としても応用可能である。
【符号の説明】
【００６２】
１    乳幼児等の見守り対象者の予防安全システム
１Ａ  乳幼児等の見守り対象者の予防安全システム
２    ベッド
３    床面
１１    非接触バイタルセンサ
１１Ａ  非接触バイタルセンサ
１２    蓄電池
１３    非接触バイタルセンサユニット
１３Ａ  非接触バイタルセンサユニット
１４    プログラムメモリ
１５    制御部
１６    作業用メモリ
１７    送受信アンテナ
１８    Ａ／Ｄ変換部
１９    呼吸数情報生成部
２０    脈拍数情報生成部
２１    体動情報生成部
２２    記憶部
２３    閾値設定記憶部
２４    標準数値情報記憶部
２５    警報情報生成部
２６    警報情報記憶部
２７    無線通信処理部
２８    電源スイッチ
３１    情報通信端末
３２    管理コンピュータ
３３    ノート型コンピュータ
３４    スマートフォン
４１    追加モジュール
４２    送信ケーブル
４３    警報入切スイッチ
４４    ＳＤメモリカード
４５    環境学習ボタン
４６    解除・一時停止ボタン
４７    通信処理部
５１    サーモセンサ
５２    撮像カメラ
Ｍ１  見守り対象者
Ｍ２  見守り者
【図１】
0003221296.tif 000003
【図２】
0003221296.tif 000004
【図３】
0003221296.tif 000005
【図４】
0003221296.tif 000006
【図５】
0003221296.tif 000007
【図６】
0003221296.tif 000008
【図７】
0003221296.tif 000009
【図８】
0003221296.tif 000010
【図９】
0003221296.tif 000011
【図１０】
0003221296.tif 000012
【図１１】
0003221296.tif 000013
【図１２】
0003221296.tif 000014